(57)【要約】      （修正有）【課題】遠隔制御を利用して、電気毛布だけでなく、家電設備を制御できる知能電気毛布を提供する。【解決手段】ユーザーの頚部以下の体が、その上に横になれる電気毛布構成要素１と、一端に給電ユニット４が電気接続されて、もう一端が、電源線を介して、電気毛布構成要素１に電気接続される制御装置２と、遠隔的に設置され、制御装置２に電気接続される遠隔制御３と、が含有される。手動や音声で操作して、電気毛布の加熱時間を制御でき、ユーザーの使用安全を保護でき、また、遠隔制御３により、空調や音響、自動掃除機、テレビ、空気清浄機及び他の電気装置の作動を制御し、更に、アプリケーション（ＡＰＰ）を利用して、電子情報装置５と連絡できる。【選択図】図１
0003218543.tif 000002
【実用新案登録請求の範囲】
【請求項１】
ユーザーの頚部以下の体が、その上に、横になれるものであり、電気毛布本体と、上記電気毛布本体を収納する布カバーとを有し、上記電気毛布本体が、下から上へ、順に覆われた金属網層と加熱素子及び遠赤外線保温層から構成され、上記加熱素子と上記金属網層とが、電源線によって連接されて、上記加熱素子に電圧が印加されることにより、熱エネルギーを生成し、上記電気毛布構成要素に位置する人体の脊椎に介して、上記加熱素子によって生成した熱エネルギーを、全身に転送して、人体に対して、加温や保温を行う、電気毛布構成要素と、
一端に、給電ユニットが電気接続されて、もう一端が、上記電源線を介して、上記電気毛布構成要素に電気接続されるもので、タッチユニットや表示ユニット、一酸化炭素（CO）検知警報装置、無線通信ユニット及び制御回路基板が含有され、上記制御回路基板が、上記タッチユニットと上記表示ユニット、上記CO検知警報装置及び上記無線通信ユニットに電気接続されて、上記制御装置が、上記制御回路基板の操作命令や制御信号の受信に基づいて、上記タッチユニットと上記表示ユニット及び上記CO検知警報装置を作動させて、上記ユーザーに対して、上記電気毛布構成要素の使用状態モードを選択制御することを提供し、同時に、即時に、COの濃度を検知して、CO濃度値を生成し、また、CO濃度が、所定値より高い時、警報を発する制御装置と、
遠隔的に設置されて、上記制御装置に電気接続され、上記制御装置の情報を外部へ転送して、上記ユーザーの音声やアプリケーション（APP）を受信し、上記音声や上記APPの制御指令を認識することによって、制御信号を生成して、上記制御装置へ無線送信し、上記制御装置が、受信した制御信号に基づいて、上記電気毛布構成要素の使用状態モード設定を行うか、受信端電気装置へ無線送信し、上記電気装置が、受信した制御信号に基づいて、対応した電源制御や機能作動或いは特性パラメータ設定を行う遠隔制御と、
が含有される、ことを特徴とする知能電気毛布。
【請求項２】
上記布カバーは、絶縁的な抗菌織物からなる、ことを特徴とする請求項１に記載される知能電気毛布。
【請求項３】
上記電気毛布本体には、更に、上記遠赤外線保温層の上に重ねられる陰イオン層を有する、ことを特徴とする請求項１に記載される知能電気毛布。
【請求項４】
上記加熱素子は、石墨である、ことを特徴とする請求項１に記載される知能電気毛布。
【請求項５】
上記電圧は、12〜24Vの間にある直流電圧である、ことを特徴とする請求項１に記載される知能電気毛布。
【請求項６】
上記金属網層は、銅網である、ことを特徴とする請求項１に記載される知能電気毛布。
【請求項７】
上記給電ユニットは、一般のソケット電源である、ことを特徴とする請求項１に記載される知能電気毛布。
【請求項８】
上記制御装置は、上記電気毛布構成要素の温度や使用時間を制御して、異なる使用状態モードを設定し、所定時間後、上記電気毛布構成要素をシャットダウンするか、上記電気毛布構成要素の温度を低下させる、ことを特徴とする請求項１に記載される知能電気毛布。
【請求項９】
上記使用状態モードは、温度を36°C±5%まで加熱して、8時間に維持するように制御する快適モードや、温度を42°C±5%まで加熱して、2時間に維持するように制御する健康モード及び温度を50°C±5%まで、加熱して、1時間に維持するように制御する調整モードが、含まれる、ことを特徴とする請求項１に記載される知能電気毛布。
【考案の詳細な説明】
【技術分野】
【０００１】
本考案は、知能電気毛布に関し、特に、手動や音声で、電気毛布の加熱時間を制御できて、ユーザーの使用安全を保護できる、遠隔的に設置可能のものに関する。
【背景技術】
【０００２】
一般の、冬において、体を温暖するための家用電気毛布は、電熱線を加熱素子とし、また、皮革や紡織物を外部カバーとするため、従来の電気毛布は、硬すぎるか柔らかすぎる構成であり、また、使用する時、通常、体に覆うことにより、保温効果が実現される。例えば、米国公告3437792号の「温度制御手段を有する電熱装置」は、その電気毛布の第一層に、電流制御のトランジスタや調整スイッチ等の電子素子を有する温度選択手段と、給電するための電源線とが、組み立てられて、全体としての重量が重くなり、上記重い温度選択手段と電源線を、電気毛布に組み立てることにより、ユーザーが、電気毛布を被覆する時の不適感は、増大される。
【０００３】
また、従来の電気毛布は、絶えず、上記加熱素子に供電するため、消費電力が非常に大きくなり、また、ユーザーは、体で、温度状況を感ずるため（例えば、米国公告3422244号や3437792号である）、確実に、温度の変化を把握できなく、使用上、非常に不便であるだけでなく、そのような電気毛布に、温度が高すぎる時の警報器が設置されていないため、世話になっているものにとっては、そして、熟睡する一般の人にとっては、電気毛布の高すぎる温度を感じない場合があり、そのとき、電気毛布の上記加熱素子が持続的に加熱するため、炎上になる恐れがあって、ユーザーの生命安全に危険を招致し、また、直接に人体に触れる物品であるため、電磁波障害の問題がある。そのため、一般の従来物は、実用的とは言えない。
【０００４】
本考案者は、上記欠点を解消するため、慎重に研究し、また、学理を活用して、有効に上記欠点を解消でき、設計が合理である本考案を提案する。
【先行技術文献】
【特許文献】
【０００５】
【特許文献１】米国公告3437792号
【特許文献２】米国公告3422244号
【考案の開示】
【考案が解決しようとする課題】
【０００６】
本考案の主な目的は、上記の諸欠点を解消するため、物理的な手段に合わせて、化学原理を利用する知能電気毛布であり、手動や音声で、電気毛布の加熱時間を制御して、ユーザーの使用安全を保護でき、また、遠隔制御的に、空調や音響、自動掃除機、テレビ、空気清浄機及び知能的家用電器を作動することを制御でき、更に、APPを介して、電子情報装置と連絡して、即時的に状態を知らせ、例えば、COの濃度や電気毛布の温度設定値等が、APPを介して、電子情報装置に表示され、また、ユーザーが、APPで、電気毛布だけでなく、連絡している家電設備でも、遠隔的に制御できる知能電気毛布を提供する。
【課題を解決するための手段】
【０００７】
本考案は、上記の目的を達成するため、知能電気毛布であり、ユーザーの頚部以下の体が、その上に、横になれるものであり、電気毛布本体と、上記電気毛布本体を収納する布カバーとを有し、上記電気毛布本体が、下から上へ、順に覆われた金属網層と、加熱素子及び遠赤外線保温層から構成され、上記加熱素子と上記金属網層とが、電源線によって連接されて、上記加熱素子に電圧が印加されることにより、熱エネルギーを生成し、上記電気毛布構成要素に位置する人体の脊椎に介して、上記加熱素子によって生成した熱エネルギーを、全身に転送して、人体に対して、加温や保温を行う、電気毛布構成要素と、一端に、給電ユニットが電気接続されて、もう一端が、上記電源線を介して、上記電気毛布構成要素に電気接続されるもので、タッチユニットや表示装置、一酸化炭素（CO）検知警報装置、無線通信ユニット及び制御回路基板が含有され、上記制御回路基板が、上記タッチユニットと上記表示装置、上記CO検知警報装置及び上記無線通信ユニットに電気接続されて、上記制御装置が、上記制御回路基板の操作命令や制御信号の受信に基づいて、上記タッチユニットと上記表示装置及び上記CO検知警報装置を作動させて、上記ユーザーに対して、上記電気毛布構成要素の使用状態モードを選択制御することを提供し、同時に、即時に、COの濃度を検知して、CO濃度値を生成し、また、CO濃度が、所定値より高い時、警報を発する制御装置と、遠隔的に設置されて、上記制御装置に電気接続され、上記制御装置の情報を外部へ転送して、上記ユーザーの音声やアプリケーション（APP）を受信し、上記音声や上記APPの制御指令を認識することによって、制御信号を生成して、上記制御装置へ無線送信し、上記制御装置が、受信した制御信号に基づいて、上記電気毛布構成要素の使用状態モード設定を行うか、受信端電気装置へ無線送信し、上記電気装置が、受信した制御信号に基づいて、対応した電源制御や機能作動或いは特性パラメータ設定を行う遠隔制御と、が含有される。
【図面の簡単な説明】
【０００８】
【図１】本考案に係る知能電気毛布の構成概念図である。
【図２】本考案に係る知能電気毛布の第一使用状態概念図である。
【図３】本考案に係る知能電気毛布の第二使用状態概念図である。
【図４】本考案に係る知能電気毛布の第三使用状態概念図である。
【０００９】
本考案の実施例に拠れば、上記布カバーは、絶縁的な抗菌織物からなる。
【００１０】
本考案の実施例に拠れば、上記電気毛布本体には、更に、上記遠赤外線保温層の上に重ねられる陰イオン層を有する。
【００１１】
本考案の実施例に拠れば、上記加熱素子は、石墨である。
【００１２】
本考案の実施例に拠れば、上記電圧は、12〜24Vの間にある直流電圧である。
【００１３】
本考案の実施例に拠れば、上記給電ユニットは、一般のソケット電源である。
【００１４】
本考案の実施例に拠れば、上記制御装置は、上記電気毛布構成要素の温度や使用時間を制御して、異なる使用状態モードを設定し、所定時間後、上記電気毛布構成要素をシャットダウンするか、上記電気毛布構成要素の温度を低下させる。
【００１５】
本考案の実施例に拠れば、上記使用状態モードは、温度を36°C±5%まで加熱して、8時間に維持するように制御する快適モードや、温度を42°C±5%まで加熱して、2時間に維持するように制御する健康モード及び温度を50°C±5%まで、加熱して、1時間に維持するように制御する調整モードが、含まれる。
【００１６】
本考案の実施例に拠れば、上記無線通信ユニットは、赤外線（Infrared, IR）や無線電波（Radio Frequency, RF）、ブルートゥース（Bluetooth）（登録商標）或いはワイファイ（Wireless Fidelity, WiFi）である。
【００１７】
本考案の実施例に拠れば、上記タッチユニットは、ボタン或いは上記表示装置に統合されたタッチスクリーンである。
【００１８】
本考案の実施例に拠れば、上記遠隔制御は、上記遠隔制御の操作を処理する主制御基板と、受信して、音声内容を認識できる音声モジュールと、即時に、COの濃度を検知して、CO濃度値を生成し、CO濃度が、所定値より高い時、警報を発し、上記主制御基板に電気接続されるCO検知警報モジュールと、異なる周波数を介して、上記制御装置や対応する電気装置に連結され、データーを、上記主制御基板にフィードバックして判定され、連結された電気装置を制御でき、上記主制御基板に電気接続される無線遠隔制御モジュールと、が含有される。
【００１９】
本考案の実施例に拠れば、上記無線遠隔制御モジュールは、IRやRF、ブルートゥース（登録商標）或いはWiFiである。
【００２０】
本考案の実施例に拠れば、上記電気装置は、空調や音響、自動掃除機、テレビ、空気清浄機及び知能的家用電器である。
【００２１】
本考案の実施例に拠れば、上記APPは、電子情報装置を介して、上記遠隔制御から転送された情報を受信し、上記ユーザーは、上記APPで、関連する数値をチェックでき、また、上記電気毛布構成要素に対して、関連する制御動作を制御でき、同時に、上記遠隔制御を利用して、連結された電気装置に対して、関連する制御動作を行える。
【００２２】
本考案の実施例に拠れば、上記電子情報装置は、スマートフォンやノート型パソコン、タブレット或いはスマートウエアラブル装置である。
【００２３】
以下、図面を参照しながら、本考案の特徴や技術内容について、詳しく説明するが、それらの図面等は、参考や説明のためであり、本考案は、それによって制限されることが無い。
【考案を実施するための形態】
【００２４】
図１〜図４は、それぞれ、本考案に係る知能電気毛布の構成概念図や本考案に係る知能電気毛布の第一使用状態概念図、本考案に係る知能電気毛布の第二使用状態概念図及び本考案に係る知能電気毛布の第三使用状態概念図である。図のように、本考案に係る知能電気毛布は、電気毛布構成要素１と制御装置２及び遠隔制御３から構成される。
【００２５】
上記の電気毛布構成要素１は、電気毛布本体１１と、上記電気毛布本体１１を収納する布カバー１２とを有し、上記布カバー１２が、下から上へ順に覆われた一金属網層１１１と加熱素子１１２及び遠赤外線保温層１１３から構成され、絶縁的抗菌織物からなり、上記加熱素子１１２が石墨であって、上記金属網層１１１が銅網であり、上記加熱素子１１２と上記金属網層１１１に、電源線１３が連接される。実施例に拠れば、上記電気毛布本体１１は、更に、上記遠赤外線保温層１１３の上に覆われた陰イオン層１１４を有する。
【００２６】
上記制御装置２は、一端に、給電ユニット４が電気接続され、もう一端が、上記電源線１３を介して、上記電気毛布構成要素１に電気接続される。上記制御装置２は、タッチユニット２１と表示ユニット２２、一酸化炭素（CO）検知警報装置２３、無線通信ユニット２４及び制御回路基板２５が含まれ、上記制御回路基板２５が、上記タッチユニット２１や上記表示ユニット２２、上記CO検知警報装置２３及び上記無線通信ユニット２４に電気接続される。また、上記タッチユニット２１は、ボタンであるか、上記表示ユニット２２に統合されたタッチスクリーンであり、上記無線通信ユニット２４は、赤外線（Infrared, IR）や無線電波（Radio Frequency, RF）、ブルートゥース（Bluetooth）（登録商標）或いはワイファイ（Wireless Fidelity, WiFi）である。
【００２７】
上記遠隔制御３は、遠隔的に設置されて、上記制御装置２に電気接続され、上記遠隔制御３の操作を処理する主制御基板３１と、上記主制御基板３１に電気接続されて、受信や音声内容認識を行う音声モジュール３２と、上記主制御基板３１電気接続され、即時にCOの濃度を検知して、CO濃度値を生成し、CO濃度が所定値より高い時、警報を発するCO検知警報モジュール３３と、上記主制御基板３１に電気接続され、異なる周波数を介して、上記制御装置２や対応する電気装置に連結され、データーを、上記主制御基板３１にフィードバックして判定され、連結された電気装置を制御できる無線遠隔制御モジュール３４と、が含有される。また、上記無線遠隔制御モジュール３４は、IRやRF、ブルートゥース（登録商標）或いはWiFiである。上記の装置構成により、新規の知能電気毛布が構成される。
【００２８】
本考案によれば、ユーザー６が頚部以下の体を、電気毛布構成要素１の上に横になり、制御装置２の給電ユニット４に電気接続される一端が、プラグ状になり、一般ソケットの給電ユニット４から電力を受け取ることができ、また、電気毛布構成要素１は、12〜24 Vの間の直流電圧を、上記加熱素子１１２に印加することにより、熱エネルギーが生成して、上記電気毛布構成要素１の上に横になった人体の脊椎を介して、上記加熱素子１１２から生成した熱エネルギーを、全身へ転送し、これにより、上記加熱素子１１２の加熱構成で、人体に対して、加温や保温を行う。また、本考案によれば、ユーザー６が、次の実施方式で、関連する操作を行える。
【００２９】
第一実施方式において、ユーザー６は、手動で制御装置２を操作して、上記電気毛布構成要素１の温度や使用時間を制御でき、異なる使用状態モードを設定して、所定時間後、上記電気毛布構成要素１をシャットダウンするか、上記電気毛布構成要素１の温度を低下させ、上記使用状態モードは、温度を36°C±5%まで加熱して、8時間に維持するように制御する快適モードや、温度を42°C±5%まで加熱して、2時間に維持するように制御する健康モード及び温度を50°C±5%まで、加熱して、1時間に維持するように制御する調整モードが、含まれる。本考案によれば、ユーザー６は、手動で、制御装置２を操作し、制御回路基板２５の操作命令により、タッチユニット２１と表示ユニット２２及びCO検知警報装置２３が作動され、タッチユニット２１で、上記の使用状態モードを選択して、上記電気毛布構成要素１の温度を制御し、同時に、CO検知警報装置２３が、居る環境中CO濃度を即時に検知して、CO濃度値を表示ユニット２２の上に表示し、また、CO濃度が所定値より高い時、警報を発する（例えば、ビープ音や震動）。
【００３０】
第二実施方式において、ユーザー６は、音声で制御装置２を操作して、上記電気毛布構成要素１の温度や使用時間を制御する。本考案によれば、主として、遠隔制御３で、ユーザー６の音声を受信し、音声モジュール３２によって上記音声が認識されて、制御信号を生成し、また、無線遠隔制御モジュール３４により、無線で、制御装置２へ送信し、上記制御装置２は、受信した制御信号に基づいて、上記電気毛布構成要素１の使用状態モード設定に対応して実行し、また、無線で、例えば、空調や音響、自動掃除機、テレビ、空気清浄機及び他の知能家用電器である受信端電気装置７へ送信し、上記らの電気装置７は、受信した制御信号に基づいて、対応する電源制御や機能作動或いは特性パラメータ設定を行い、同時に、内蔵したCO検知警報モジュール３３で、上記遠隔制御３の環境のCO濃度を、即時に検知して、CO濃度値を生成し、また、CO濃度が所定値より高い時、警報を発する（例えば、ビープ音や震動）。
【００３１】
第三実施方式において、ユーザー６は、電子情報装置５で、制御装置２を操作して、上記電気毛布構成要素１の温度や使用時間を制御し、上記電子情報装置５は、スマートフォンやノート型パソコン、タブレット或いはスマートウエアラブル装置である。本考案によれば、遠隔制御３が、ユーザー６のアプリケーション（APP）によって制御されて、制御装置２の情報を、上記電子情報装置５へ転送し、上記ユーザー６は、上記APPを介して、関連する数値をチェックでき、また、上記遠隔制御３によって、上記APPの制御指令が認識され、制御信号を生成して、無線で、制御装置２へ送信し、また、上記電気毛布構成要素１に対して、関連する制御動作を行い、更に、無線で、遠隔制御３に連結された電気装置７へ送信され、そして、上記らの電気装置７に対して、関連する制御動作を行う。
【００３２】
以上のように、本考案に係る知能電気毛布は、有効的に、従来の諸欠点を解消でき、物理的な手段に合わせて、化学原理を利用するため、手動や音声の操作で、電気毛布の加熱時間を制御でき、ユーザーの使用安全を保護でき、また、遠隔制御により、空調や音響、自動掃除機、テレビ、空気清浄機及び知能家用電器の作動を制御でき、また、更に、APPと電子情報装置との連絡により、例えば、COの濃度や電気毛布温度の設定値等の即時状態を、APPを介して、電子情報装置に表示するように、知らせることができ、ユーザーは、APPを利用して、遠隔的に設置された遠隔制御に対して、電気毛布だけでなく、全ての連絡された家電設備に対して、制御を行い、このように、遠隔的に処置できる機能を実現されるため、本考案は、より進歩的かつより実用的で、法に従って実用新案登録請求を出願する。
【００３３】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００３４】
１      電気毛布構成要素
１１    電気毛布本体
１１１  金属網層
１１２  加熱素子
１１３  遠赤外線保温層
１１４  陰イオン層
１２    布カバー
１３    電源線
２      制御装置
２１    タッチユニット
２２    表示ユニット
２３    CO検知警報装置
２４    無線通信ユニット
２５    制御回路基板
３      遠隔制御
３１    主制御基板
３２    音声モジュール
３３    CO検知警報モジュール
３４    無線遠隔制御モジュール
４      給電ユニット
５      電子情報装置
６      ユーザー
７      電気装置
【図１】
0003218543.tif 000003
【図２】
0003218543.tif 000004
【図３】
0003218543.tif 000005
【図４】
0003218543.tif 000006
【手続補正書】
【提出日】平成30年8月17日(2018.8.17)
【手続補正１】
【補正対象書類名】実用新案登録請求の範囲
【補正対象項目名】全文
【補正方法】変更
【補正の内容】
【実用新案登録請求の範囲】
【請求項１】
ユーザーの頚部以下の体が、その上に、横になれるものであり、電気毛布本体と、上記電気毛布本体を収納する布カバーとを有し、上記電気毛布本体が、下から上へ、順に覆われた金属網層と加熱素子及び遠赤外線保温層から構成され、上記加熱素子と上記金属網層と
が、電源線によって連接されて、上記加熱素子に電圧が印加されることにより、熱エネルギーを生成し、電気毛布構成要素に位置する人体の脊椎に介して、上記加熱素子によって生成した熱エネルギーを、全身に転送して、人体に対して、加温や保温を行う、上記電気毛布構成要素と、
一端に、給電ユニットが電気接続されて、もう一端が、上記電源線を介して、上記電気毛布構成要素に電気接続されるもので、タッチユニットや表示ユニット、一酸化炭素（CO）検知警報装置、無線通信ユニット及び制御回路基板が含有され、上記制御回路基板が、
上記タッチユニットと上記表示ユニット、上記CO検知警報装置及び上記無線通信ユニットに電気接続されて、制御装置が、上記制御回路基板の操作命令や制御信号の受信に基づいて、上記タッチユニットと上記表示ユニット及び上記CO検知警報装置を作動させて、
上記ユーザーに対して、上記電気毛布構成要素の使用状態モードを選択制御することを提供し、同時に、即時に、COの濃度を検知して、CO濃度値を生成し、また、CO濃度が、所定値より高い時、警報を発する上記制御装置と、
遠隔制御は、遠隔的に設置されて、上記制御装置に電気接続され、上記制御装置の情報を外部へ転送して、上記ユーザーの音声やアプリケーション（APP）を受信し、上記音声や上記APPの制御指令を認識することによって、制御信号を生成して、上記制御装置へ無線送信し、上記制御装置が、受信した制御信号に基づいて、上記電気毛布構成要素の使用状態モード設定を行うか、受信端を有する電気装置へ無線送信し、上記電気装置が、受信した制御信号に基づいて、対応した電源制御や機能作動或いは特性パラメータ設定を行う上記遠隔制御と、
が含有される、ことを特徴とする知能電気毛布。
【請求項２】
上記布カバーは、絶縁的な抗菌織物からなる、ことを特徴とする請求項１に記載される知能電気毛布。
【請求項３】
上記電気毛布本体には、更に、上記遠赤外線保温層の上に重ねられる陰イオン層を有する、ことを特徴とする請求項１に記載される知能電気毛布。
【請求項４】
上記加熱素子は、石墨である、ことを特徴とする請求項１に記載される知能電気毛布。
【請求項５】
上記電圧は、12〜24Vの間にある直流電圧である、ことを特徴とする請求項１に記載される知能電気毛布。
【請求項６】
上記金属網層は、銅網である、ことを特徴とする請求項１に記載される知能電気毛布。
【請求項７】
上記給電ユニットは、ソケット電源である、ことを特徴とする請求項１に記載される知能電気毛布。
【請求項８】
上記制御装置は、上記電気毛布構成要素の温度や使用時間を制御して、異なる使用状態モードを設定し、所定時間後、上記電気毛布構成要素をシャットダウンするか、上記電気毛布構成要素の温度を低下させる、ことを特徴とする請求項１に記載される知能電気毛布。
【請求項９】
上記使用状態モードは、温度を36°C±5%まで加熱して、8時間に維持するように制御する快適モードや、温度を42°C±5%まで加熱して、2時間に維持するように制御する健康モード及び温度を50°C±5%まで、加熱して、1時間に維持するように制御する調整モードが、含まれる、ことを特徴とする請求項１に記載される知能電気毛布。
【手続補正２】
【補正対象書類名】明細書
【補正対象項目名】００２７
【補正方法】変更
【補正の内容】
【００２７】
上記遠隔制御３は、遠隔的に設置されて、上記制御装置２に電気接続され、上記遠隔制御３の操作を処理する主制御基板３１と、上記主制御基板３１に電気接続されて、受信や音声内容認識を行う音声モジュール３２と、上記主制御基板３１に電気接続され、即時にCOの濃度を検知して、CO濃度値を生成し、CO濃度が所定値より高い時、警報を発するCO検知警報モジュール３３と、上記主制御基板３１に電気接続され、異なる周波数を介して、上記制御装置２や対応する電気装置７に連結され、データーを、上記主制御基板３１にフィードバックして判定され、連結された電気装置７を制御できる無線遠隔制御モジュール３４と、が含有される。また、上記無線遠隔制御モジュール３４は、IRやRF、ブルートゥース（登録商標）或いはWiFiである。上記の装置構成により、新規の知能電気毛布が構成される。
【手続補正３】
【補正対象書類名】明細書
【補正対象項目名】００３０
【補正方法】変更
【補正の内容】
【００３０】
第二実施方式において、ユーザー６は、音声で制御装置２を操作して、上記電気毛布構成要素１の温度や使用時間を制御する。本考案によれば、主として、遠隔制御３で、ユーザー６の音声を受信し、音声モジュール３２によって上記音声が認識されて、制御信号を生成し、また、無線遠隔制御モジュール３４により、無線で、制御装置２へ送信し、上記制御装置２は、受信した制御信号に基づいて、上記電気毛布構成要素１の使用状態モード設定に対応して実行し、また、無線で、例えば、空調や音響、自動掃除機、テレビ、空気清浄機及び他の知能家用電器である受信端を有する電気装置７へ送信し、上記らの電気装置７は、受信した制御信号に基づいて、対応する電源制御や機能作動或いは特性パラメータ設定を行い、同時に、内蔵したCO検知警報モジュール３３で、上記遠隔制御３の環境のCO濃度を、即時に検知して、CO濃度値を生成し、また、CO濃度が所定値より高い時、警報を発する（例えば、ビープ音や震動）。